(57)【要約】【課題】画像の鮮鋭度を従来と比べてより適切に改善することが可能な映像信号処理装置および表示装置を提供する。【解決手段】映像信号処理部２において、ＲＧＢ信号ＲＧＢinに基づく明度信号Ｖおよび彩度信号Ｓのうちの少なくとも一方に対し、そのＲＧＢ信号ＲＧＢinに基づくゲイン制御後の高域輝度信号Ｙｈｋを合成することにより、画像の鮮鋭度の改善処理を行う。これにより、従来とは異なり、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が回避される。【選択図】図１
2010263598.tif 000002
【特許請求の範囲】
【請求項１】
入力映像信号に基づいて色空間変換を行うことにより、ＨＳＶ色空間により規定される変換映像信号を生成する第１の色空間変換部と、
前記入力映像信号から直接もしくは間接的に得られる輝度（Ｙ）信号における高域周波数成分を分離することにより、高域輝度信号を生成する第１の高域分離部と、
前記変換映像信号における明度（Ｖ）信号および彩度（Ｓ）信号のうちの少なくとも一方と、前記高域輝度信号とに基づいて合成処理を行うことにより、合成明度信号および合成彩度信号のうちの少なくとも一方を生成する合成部と、
前記変換映像信号における色相（Ｈ）信号と、前記変換映像信号における彩度信号または前記合成彩度信号と、前記変換映像信号における明度信号または前記合成明度信号と、から構成される映像信号に対して色空間変換を行うことにより、ＲＧＢ色空間により規定される出力映像信号を生成する第２の色空間変換部と
を備えた映像信号処理装置。
【請求項２】
少なくとも前記高域輝度信号に対するゲイン制御を行うゲイン制御部を備え、
前記合成部は、前記明度信号および前記彩度信号のうちの少なくとも一方と、前記ゲイン制御がなされた後の高域輝度信号とに基づいて合成処理を行うことにより、前記合成明度信号および前記合成彩度信号のうちの少なくとも一方を生成する
請求項１に記載の映像信号処理装置。
【請求項３】
前記色相信号、前記彩度信号および前記明度信号のうちの少なくとも１つに基づいて、前記ゲイン制御の際のゲイン制御量を算出する算出部を備えた
請求項２に記載の映像信号処理装置。
【請求項４】
前記明度信号の高域周波数成分を分離することにより、高域明度信号を生成する第２の高域分離部を備え、
前記合成部は、前記明度信号および前記彩度信号のうちの少なくとも一方と、前記高域輝度信号と前記高域明度信号とに基づく合成信号と、に基づいて合成処理を行うことにより、前記合成明度信号および前記合成彩度信号のうちの少なくとも一方を生成する
請求項１ないし請求項３のいずれか１項に記載の映像信号処理装置。
【請求項５】
前記合成部は、前記明度信号および前記彩度信号のうちの少なくとも一方と、互いにゲイン制御がなされた後の高域輝度信号および高域明度信号同士の合成信号と、に基づいて合成処理を行うことにより、前記合成明度信号および前記合成彩度信号のうちの少なくとも一方を生成する
請求項４に記載の映像信号処理装置。
【請求項６】
前記合成信号において、前記高域輝度信号と前記高域明度信号との間で所定の重み付けがなされている
請求項４に記載の映像信号処理装置。
【請求項７】
前記第１の高域分離部は、
前記輝度信号から、画像の輪郭を構成するストラクチャー成分信号と、画像の細部を構成するテクスチャー成分信号とそれぞれを分離すると共に、
これらのストラクチャー成分信号およびテクスチャー成分信号をそれぞれ、前記高域輝度信号として出力する
請求項１ないし請求項３のいずれか１項に記載の映像信号処理装置。
【請求項８】
前記入力映像信号が、ＹＣｂＣｒ色空間により規定される入力映像信号であり、
前記第１の高域分離部は、
前記ＹＣｂＣｒ色空間により規定される入力映像信号における輝度信号から、前記テクスチャー成分信号と前記ストラクチャー成分信号とをそれぞれ分離すると共に、このストラクチャー成分信号を更に、ストラクチャー高域成分信号とストラクチャー低域成分信号とに分離し、
前記ストラクチャー高域成分信号と前記テクスチャー成分信号とをそれぞれ、前記高域輝度信号として出力する
請求項７に記載の映像信号処理装置。
【請求項９】
前記第１の色空間変換部は、前記ＹＣｂＣｒ色空間により規定される入力映像信号における色差（Ｃｂ，Ｃｒ）信号と、前記第１の高域分離部から出力される前記ストラクチャー低域成分信号とから構成される映像信号に対して色空間変換を行うことにより、前記変換映像信号を生成する
請求項８に記載の映像信号処理装置。
【請求項１０】
前記第１の色空間変換部は、ＲＧＢ色空間により規定される入力映像信号に対して色空間変換を行うことにより、前記変換映像信号を生成するものであり、
前記ＲＧＢ色空間により規定される入力映像信号に対して色空間変換を行うことにより、前記輝度信号を生成する第３の色空間変換部を備えた
請求項１ないし請求項３のいずれか１項に記載の映像信号処理装置。
【請求項１１】
前記第１の色空間変換部は、ＹＣｂＣｒ色空間により規定される入力映像信号に対して色空間変換を行うことにより、前記変換映像信号を生成するものであり、
前記第１の高域分離部は、前記ＹＣｂＣｒ色空間により規定される入力映像信号における輝度信号を用いて、前記高域輝度信号を生成する
請求項１ないし請求項３のいずれか１項に記載の映像信号処理装置。
【請求項１２】
入力映像信号に基づいて色空間変換を行うことにより、ＨＳＶ色空間により規定される変換映像信号を生成する第１の色空間変換部と、
前記入力映像信号から直接もしくは間接的に得られる輝度（Ｙ）信号における高域周波数成分を分離することにより、高域輝度信号を生成する第１の高域分離部と、
前記変換映像信号における明度（Ｖ）信号および彩度（Ｓ）信号のうちの少なくとも一方と、前記高域輝度信号とに基づいて合成処理を行うことにより、合成明度信号および合成彩度信号のうちの少なくとも一方を生成する合成部と、
前記変換映像信号における色相（Ｈ）信号と、前記変換映像信号における彩度信号または前記合成彩度信号と、前記変換映像信号における明度信号または前記合成明度信号と、から構成される映像信号に対して色空間変換を行うことにより、ＲＧＢ色空間により規定される出力映像信号を生成する第２の色空間変換部と、
前記出力映像信号に基づいて映像表示を行う表示部と
を備えた表示装置。
【発明の詳細な説明】
【技術分野】
【０００１】
本発明は、カラー画像の鮮鋭度を改善するための処理を行う映像信号処理装置、およびそのような映像信号処理装置を備えた表示装置に関する。
【背景技術】
【０００２】
従来より、テレビジョン等の表示装置において、画像の鮮鋭度を高めるための処理を行う鮮鋭度改善回路が知られている（例えば、特許文献１）。
【先行技術文献】
【特許文献】
【０００３】
【特許文献１】特開昭６１−２９５７９２号公報
【発明の概要】
【発明が解決しようとする課題】
【０００４】
このような従来の鮮鋭度改善回路では、まず、入力されたＲ（赤），Ｇ（緑），Ｂ（青）の各色信号からなるＲＧＢ信号（ＲＧＢ色空間により規定された信号）に対し、マトリクス回路において色空間変換を行うことにより、ＹＣｂＣｒ信号を生成する。このＹＣｂＣｒ信号は、輝度（Ｙ），色差（Ｃｂ，Ｃｒ）の各信号から構成されたものである。次いで、生成された輝度信号の高域周波数成分を分離して高域輝度信号を生成したのち、この高域輝度信号に対して所定のゲイン制御を行う。そして、元の輝度信号とゲイン制御後の高域輝度信号との合成信号（合成輝度信号）と、元のＣｂ，Ｃｒ信号とからなる映像信号に対し、上記したマトリクス回路の逆特性に対応する色空間変換を行うことにより、出力信号となるＲＧＢ信号を生成している。
【０００５】
ところが、このような従来の鮮鋭度改善の手法では、入力信号であるＲＧＢ信号に基づく輝度信号に対して高域輝度信号を合成することにより、画像の鮮鋭度の改善処理がなされていることに起因して、以下のような問題が生じていた。
【０００６】
すなわち、まず、色空間変換後の出力信号であるＲＧＢ信号において、鮮鋭度の改善部分（高域成分の領域）での彩度の低下が生じてしまうという問題があった。
【０００７】
また、この色空間変換後の出力信号において、入力信号（ＲＧＢ信号）における色相または彩度の大きさに応じて、鮮鋭度の改善効果が減少してしまうという問題があった。これは、従来の手法では高域輝度信号を合成しているが、マトリクス比の関係で色相や彩度により元の輝度信号レベルは変化することから、色相や彩度が高くなるのに応じて輝度信号のレベルが小さくなり、鮮鋭度改善効果が減少するというものである。
【０００８】
このように従来の鮮鋭度改善手法では、出力信号における画像の鮮鋭度の改善効果が十分とは言えなかったため、画像の鮮鋭度をより適切に改善する手法の実現が望まれていた。
【０００９】
本発明はかかる問題点に鑑みてなされたもので、その目的は、画像の鮮鋭度を従来と比べてより適切に改善することが可能な映像信号処理装置および表示装置を提供することにある。
【課題を解決するための手段】
【００１０】
本発明の映像信号処理装置は、入力映像信号に基づいて色空間変換を行うことにより、ＨＳＶ色空間により規定される変換映像信号を生成する第１の色空間変換部と、上記入力映像信号から直接もしくは間接的に得られる輝度（Ｙ）信号における高域周波数成分を分離することにより、高域輝度信号を生成する第１の高域分離部と、上記変換映像信号における明度（Ｖ）信号および彩度（Ｓ）信号のうちの少なくとも一方と上記高域輝度信号とに基づいて合成処理を行うことにより、合成明度信号および合成彩度信号のうちの少なくとも一方を生成する合成部と、上記変換映像信号における色相（Ｈ）信号と、変換映像信号における彩度信号または上記合成彩度信号と、変換映像信号における明度信号または上記合成明度信号とから構成される映像信号に対して色空間変換を行うことにより、ＲＧＢ色空間により規定される出力映像信号を生成する第２の色空間変換部とを備えたものである。
【００１１】
本発明の表示装置は、上記本発明の映像信号処理装置と、この映像信号処理装置により生成される出力映像信号に基づいて映像表示を行う表示部とを備えたものである。
【００１２】
本発明の映像信号処理装置および表示装置では、入力映像信号に基づいて色空間変換が行われることにより、変換映像信号が生成される。また、この入力映像信号から直接もしくは間接的に得られる輝度信号における高域周波数成分が分離されることにより、高域輝度信号が生成される。次いで、変換映像信号における明度信号および彩度信号のうちの少なくとも一方と高域輝度信号とに基づいて合成処理が行われることにより、合成明度信号および合成彩度信号のうちの少なくとも一方が生成される。そして、変換映像信号における色相信号と、変換映像信号における彩度信号または合成彩度信号と、変換映像信号における明度信号または合成明度信号とから構成される映像信号に対して色空間変換が行われることにより、出力映像信号が生成される。すなわち、入力映像信号に基づく明度信号および彩度信号のうちの少なくとも一方に対してその入力映像信号に基づく高域輝度信号を合成することにより、画像の鮮鋭度の改善処理がなされる。これにより、入力映像信号に基づく輝度信号に対して高域輝度信号を合成することにより画像の鮮鋭度の改善処理がなされている従来とは異なり、色空間変換後の出力映像信号において、鮮鋭度の改善部分（高域成分の領域）での彩度の低下や、入力映像信号における色相または彩度の大きさに応じた鮮鋭度の改善効果の減少等が、回避される。
【００１３】
なお、他の映像信号処理装置として、上記第１の色空間変換部と、上記明度信号の高域周波数成分を分離することにより高域明度信号を生成する第２の高域分離部と、上記変換映像信号における明度信号および彩度信号のうちの少なくとも一方と上記高域明度信号とに基づいて合成処理を行うことにより、合成明度信号および合成彩度信号のうちの少なくとも一方を生成する他の合成部と、上記変換映像信号における色相信号と、変換映像信号における彩度信号または上記合成彩度信号と、変換映像信号における明度信号または上記合成明度信号とから構成される映像信号に対して色空間変換を行うことにより、ＲＧＢ色空間により規定される出力映像信号を生成する第４の色空間変換部とを備えたものが挙げられる。
【発明の効果】
【００１４】
本発明の映像信号処理装置および表示装置によれば、入力映像信号に基づく明度信号および彩度信号のうちの少なくとも一方に対してその入力映像信号に基づく高域輝度信号を合成することにより、画像の鮮鋭度の改善処理を行うようにしたので、色空間変換後の出力映像信号において、鮮鋭度の改善部分での彩度の低下や、入力映像信号における色相または彩度の大きさに応じた鮮鋭度の改善効果の減少等を、回避することができる。よって、画像の鮮鋭度を従来と比べてより適切に改善することが可能となる。
【図面の簡単な説明】
【００１５】
【図１】本発明の一実施の形態に係る表示装置の全体構成を表すブロック図である。
【図２】図１に示した高域分離部の詳細構成例を表すブロック図である。
【図３】図１に示したゲイン制御量算出部の詳細構成例を表すブロック図である。
【図４】図３に示した色相についての制御量算出部の動作を説明するための特性図である。
【図５】図３に示した彩度についての制御量算出部の動作を説明するための特性図である。
【図６】図３に示した明度についての制御量算出部の動作を説明するための特性図である。
【図７】比較例１に係る映像信号処理装置の構成を表すブロック図である。
【図８】図７に示した映像信号処理装置の動作例を表すタイミング波形図である。
【図９】図７に示した映像信号処理装置の他の動作例を表すタイミング波形図である。
【図１０】図１に示した映像信号処理装置の動作例を表すタイミング波形図である。
【図１１】図１に示した映像信号処理装置の他の動作例を表すタイミング波形図である。
【図１２】本発明の変形例１に係る表示装置の全体構成を表すブロック図である。
【図１３】図１２に示した映像信号処理装置の動作例を表すタイミング波形図である。
【図１４】図１２に示した映像信号処理装置の他の動作例を表すタイミング波形図である。
【図１５】本発明の変形例２に係る表示装置の全体構成を表すブロック図である。
【図１６】本発明の変形例３に係る表示装置の全体構成を表すブロック図である。
【図１７】図１６に示した映像信号処理装置の動作の一例を表すタイミング波形図である。
【図１８】図１６に示した映像信号処理装置の動作の他の例を表すタイミング波形図である。
【図１９】比較例２に係る映像信号処理装置の構成を表すブロック図である。
【図２０】図１９に示した映像信号処理装置の動作例を表すタイミング波形図である。
【図２１】図１６に示した映像信号処理装置の動作の他の例を表すタイミング波形図である。
【図２２】図１６に示した映像信号処理装置の動作の他の例を表すタイミング波形図である。
【図２３】本発明の変形例４に係る表示装置の全体構成を表すブロック図である。
【図２４】本発明の変形例５に係る表示装置の全体構成を表すブロック図である。
【図２５】本発明の変形例６に係る表示装置の全体構成を表すブロック図である。
【図２６】図２５に示した高域分離部の動作の概要を表す特性図である。
【図２７】図２５に示したゲイン制御部の詳細構成を表すブロック図である。
【図２８】図２５に示した映像信号処理装置の動作例を表すタイミング波形図である。
【図２９】本発明の変形例７に係る表示装置の全体構成を表すブロック図である。
【図３０】図２９に示した映像信号処理装置の動作例を表すタイミング波形図である。
【発明を実施するための形態】
【００１６】
以下、本発明の実施の形態について、図面を参照して詳細に説明する。なお、説明は以下の順序で行う。
１．実施の形態（Ｖ信号とＹｈｋ（輝度の高域のゲイン制御）信号とを合成する例）
２．変形例
変形例１（Ｖ信号とＶｈｋ（明度の高域のゲイン制御）信号とを合成する例）
変形例２（Ｖ信号とＹｈｋ，Ｖｈｋの合成信号とを合成する例）
変形例３（Ｓ信号とＹｈｋ信号とを合成する例）
変形例４（Ｖ信号，Ｓ信号とＹｈｋ信号とを合成する例）
変形例５（実施の形態において入力映像信号がＹＣｒＣｂ信号である場合の例）
変形例６（ストラクチャー，テクスチャー成分信号を高域輝度信号とする例）
変形例７（変形例６において入力映像信号がＹＣｒＣｂ信号である場合の例）
【００１７】
＜１．実施の形態＞
［表示装置１の全体構成］
図１は、本発明の一実施の形態に係る表示装置１のブロック構成を表すものである。この表示装置１は、映像信号処理部２と、表示部３とを備えている。なお、この映像信号処理部２（および後述する映像信号処理部２Ａ〜２Ｇ）が、本発明における「映像信号処理装置」の一具体例に対応する。
【００１８】
（映像信号処理部２）
映像信号処理部２は、色空間変換部２１，２３，２７と、高域分離部２２と、ゲイン制御量算出部２４と、ゲイン制御部２５と、合成部２６とを有している。
【００１９】
色空間変換部２１は、外部から入力されるＲＧＢ信号ＲＧＢinに対して色空間変換を行うことにより、輝度信号Ｙを生成するものであり、例えばマトリクス回路により構成される。具体的には、このＲＧＢ信号ＲＧＢinが一般的なテレビジョン信号である場合、例えばＢＴ．７０９やＢＴ．６０１のような規格に準じた係数を用いて色空間変換を行う。
【００２０】
高域分離部２２は、色空間変換部２１から出力される輝度信号Ｙの高域周波数成分（例えば、３ＭＨｚ以上の成分）を分離することにより、高域輝度信号Ｙｈを生成するものである。この高域分離部２２は、例えば１次元や２次元のハイパスフィルタ（ＨＰＦ）等により構成される。図２は、このうちの一例として、水平３タップのハイパスフィルタ回路を用いたものを示している。すなわち、この場合の高域分離部２２は、２つのディレイ部２２１Ａ，２２１Ｂと、３つのレベル制御部２２２Ａ，２２２Ｂ，２２２Ｃと、高域輝度信号Ｙｈを出力する加算部２２３とから構成されている。
【００２１】
色空間変換部２３は、外部から入力されるＲＧＢ信号ＲＧＢinに対して色空間変換を行うことにより、ＨＳＶ色空間により規定される映像信号（ＨＳＶ信号）を生成するものである。このＨＳＶ信号は、色相（Ｈ），彩度（Ｓ），明度（Ｖ）の３つの成分からなる色空間により規定された信号であり、色の違いを人間の視覚に近い形で表現されている。具体的には、ＲＧＢ色空間からＨＳＶ色空間への変換は、Ｒ，Ｇ，Ｂの各色信号が、最小値を０．０，最大値を１．０とする数値範囲を示すものであるとすると、例えば以下の（１）〜（６）式を用いて行うことができる。ここで、式中のＭＡＸは、Ｒ，Ｇ，Ｂ信号の値のうちの最大値を意味し、ＭＩＮは、Ｒ，Ｇ，Ｂ信号の値のうちの最小値を意味している。なお、色相信号Ｈの値は、０．０〜３６０．０の範囲内で変化し、角度で表現される。３６０．０度は、０．０度と同一になる。また、彩度信号Ｓおよび明度信号Ｖの値はそれぞれ、０．０〜１．０の範囲内で変化する。
【００２２】
【数１】
2010263598.tif 000003
【００２３】
ゲイン制御量算出部２４は、色空間変換部２３から出力されるＨＳＶ信号における、色相信号Ｈ、彩度信号Ｓおよび明度信号Ｖの各信号に基づいて、後述するゲイン制御部２５におけるゲイン制御の際のゲイン制御量ｋを算出するものである。具体的には、以下詳述するように、ＨＳＶ信号から色相，彩度，明度をそれぞれ検出すると共に、各成分の領域ごとに予め設定された係数で制御してそれらを合成することにより、ゲイン制御量ｋを算出している。すなわち、このゲイン制御量ｋを、例えば０〜ｎ（任意の値）まで制御することにより、後述する鮮鋭度の改善効果が変化するようになっている。
【００２４】
このゲイン制御量算出部２４は、図３に示したように、色相検出部２４１Ｈと、彩度検出部２４１Ｓと、明度検出部２４１Ｖと、制御量算出部２４２Ｈ，２４２Ｓ，２４２Ｖと、合成部２４３とを有している。
【００２５】
色相検出部２４１Ｈは、色相信号Ｈから色相情報を検出するものである。制御量算出部２４２Ｈは、例えば図４に示したような予め設定された設定値を用いることにより、色相についての制御量を求めるものである。具体的には、色相検出部２４１Ｈにおいて検出した色相に対して、予め設定した６０度ごとの色相の係数ｋＲ，ｋＹ，ｋＧ，ｋＣ，ｋＢ，ｋＭを用いることにより、６０度ごとの色相の間を両サイドの色相係数値を直線補間し、全色相領域の制御量を算出している。
【００２６】
彩度検出部２４１Ｓは、彩度信号Ｓから彩度情報を検出するものである。制御量算出部２４２Ｓは、例えば図５に示したような予め設定された設定値を用いることにより、彩度についての制御量を求めるものである。具体的には、彩度検出部２４１Ｓにおいて検出した彩度に対して、予め設定した１２．５％ごとの彩度の係数ｋＳ０，ｋＳ１，ｋＳ２，ｋＳ３，ｋＳ４，ｋＳ５，ｋＳ６，ｋＳ７を用いることにより、１２．５％ごとの彩度の間を両サイドの彩度係数値を直線補間し、全彩度領域の制御量を算出している。
【００２７】
明度検出部２４１Ｖは、明度信号Ｖから明度情報を検出するものである。制御量算出部２４２Ｖは、例えば図６に示したような予め設定された設定値を用いることにより、明度についての制御量を求めるものである。具体的には、明度検出部２４１Ｖにおいて検出した明度に対して、予め設定した１２．５％ごとの明度の係数ｋＶ０，ｋＶ１，ｋＶ２，ｋＶ３，ｋＶ４，ｋＶ５，ｋＶ６，ｋＶ７を用いることにより、１２．５％ごとの明度の間を両サイドの明度係数値を直線補間し、全明度領域の制御量を算出している。
【００２８】
合成部２４３は、制御量算出部２４２Ｈ，２４２Ｓ，２４２Ｖから算出される各制御量を合成することにより、合成制御量に対応するゲイン制御量ｋを算出するものである。
【００２９】
ゲイン制御部２５は、高域分離部２２から出力される高域輝度信号Ｙｈに対し、ゲイン制御量算出部２４から出力されるゲイン制御量ｋを用いてゲイン制御を行うことにより、ゲイン制御後の高域輝度信号Ｙｈｋを生成するものである。具体的には、高域輝度信号Ｙｈにおける高域周波数成分の量を、ゲイン制御量ｋを用いて変化させることにより、ゲイン制御後の高域輝度信号Ｙｈｋを生成するようになっている。
【００３０】
合成部２６は、色空間変換部２３から出力されるＨＳＶ信号のうちの明度信号Ｖと、高域分離部２２から出力される高域輝度信号Ｙｈとに基づいて合成処理を行うことにより、合成明度信号を生成するものである。具体的には、ここでは、明度信号Ｖと、ゲイン制御部２５から出力されるゲイン制御後の高域輝度信号Ｙｈｋとを合成することにより、合成明度信号（Ｖ＋Ｙｈｋ）を生成している。
【００３１】
色空間変換部２７は、色空間変換部２３から出力されるＨＳＶ信号のうちの色相信号Ｈおよび彩度信号Ｓと、合成部２６から出力される合成明度信号（Ｖ＋Ｙｈｋ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７は、色空間変換部２３の逆特性を有するマトリクス回路等により構成される。ここで、ＨＳＶ色空間からＲＧＢ色空間への変換は、色相信号Ｈの値が０．０〜３６０．０の範囲内で変化して角度で表現されるものであり、彩度信号Ｓおよび明度信号Ｖの値が、０．０〜１．０の範囲内で変化するものであるとすると、以下の（７）〜（１７）式を用いて行うことができる。なお、仮に彩度信号Ｓの値が０．０である場合、最終的な色は無色もしくは灰色となる。このような特別な場合、Ｒ，Ｇ，Ｂの各信号の値は、単純に明度信号Ｖの値と等しくなり、この場合、色相信号Ｈの値は無意味となる。一方、彩度信号Ｓの値が０．０ではない場合、以下の（１８）式を用いて色変換を行うことができる。
【００３２】
【数２】
2010263598.tif 000004
【００３３】
【数３】
2010263598.tif 000005
【００３４】
（表示部３）
表示部３は、映像信号処理部２から出力される映像信号処理後の映像信号（ＲＧＢ信号ＲＧＢout）に基づいて、映像の表示を行うものである。このような表示部３としては、例えば、ＬＣＤ（Liquid Crystal Display）やＰＤＰ（Plasma Display Panel）、有機ＥＬ（Electro Luminescence）ディスプレイなどの各種のディスプレイを用いることができる。
【００３５】
ここで、ＲＧＢ信号ＲＧＢinが本発明における「入力映像信号」の一具体例に対応し、ＲＧＢ信号ＲＧＢoutが本発明における「出力映像信号」の一具体例に対応する。また、色空間変換部２３から出力されるＨＳＶ信号が、本発明における「変換映像信号」の一具体例に対応する。また、色空間変換部２３が本発明における「第１の色空間変換部」の一具体例に対応し、色空間変換部２１が本発明における「第３の色空間変換部」の一具体例に対応し、色空間変換部２７が本発明における「第２の色空間変換部」の一具体例に対応する。また、高域分離部２２が本発明における「第１の高域分離部」の一具体例に対応し、ゲイン制御量算出部２４が本発明における「算出部」の一具体例に対応する。
【００３６】
［表示装置１の作用・効果］
次に、表示装置１の作用および効果について、比較例と比較しつつ詳細に説明する。
【００３７】
（基本動作）
この表示装置１では、映像信号処理部２において、外部から入力されたＲＧＢ信号ＲＧＢinに対し、以下説明する鮮鋭度の改善処理を行うことにより、そのような改善処理後のＲＧＢ信号ＲＧＢoutを生成する。そして、このＲＧＢ信号ＲＧＢoutに基づく映像表示が、表示部３において行われる。
【００３８】
（比較例１の映像信号処理）
図７は、比較例１に係る従来の映像信号処理部１０２のブロック構成を表すものである。この映像信号処理部１０２は、色空間変換部１０３と、高域分離部２２と、ゲイン制御部２５と、合成部１０６と、色空間変換部１０７とを有している。
【００３９】
色空間変換部１０３は、外部から入力されるＲＧＢ信号ＲＧＢinに対して色空間変換を行うことにより、ＹＣｂＣｒ信号を生成するものであり、例えばマトリクス回路により構成されている。具体的には、このＲＧＢ信号ＲＧＢinが一般的なテレビジョン信号である場合、以下の（１９）〜（２１）式で示したように、例えばＢＴ．７０９やＢＴ．６０１のような規格に準じた係数を用いて色空間変換を行う。なお、映像信号処理部１０２への入力信号が、元々ＹＣｂＣｒ信号である場合、この色空間変換部１０３が設けられない場合もある。
【００４０】
【数４】
2010263598.tif 000006
【００４１】
ゲイン制御部２５は、本実施の形態と同様に、高域分離部２２から出力される高域輝度信号Ｙｈに対してゲイン制御を行うことにより、ゲイン制御後の高域輝度信号Ｙｈｋを生成するものである。ただし、この比較例１では、ゲイン制御量ｋが、例えばユーザーによる操作等に応じて設定されるようになっている。
【００４２】
合成部１０６は、色空間変換部１０３から出力される輝度信号Ｙと、ゲイン制御部から出力されるゲイン制御後の高域輝度信号Ｙｈｋとを合成することにより、合成輝度信号（Ｙ＋Ｙｈｋ）を生成するものである。
【００４３】
色空間変換部１０７は、色空間変換部１０３から出力される色差信号Ｃｂ，Ｃｒと、合成部１０６から出力される合成輝度信号（Ｙ＋Ｙｈｋ）とから構成される映像信号（ＹＣｂＣｒ信号）に対し、色空間変換を行うものである。これにより、ＲＧＢ色空間により規定される出力映像信号である、ＲＧＢ信号ＲＧＢoutが生成されるようになっている。この色空間変換部１０７は、色空間変換部１０３の逆特性を有するマトリクス回路等により構成される。
【００４４】
ここで、図８および図９は、映像信号処理部１０２における映像信号処理の際の各信号のタイミング波形例を表すものである。図８は、ＲＧＢ信号ＲＧＢinにおける彩度Ｓ＝０％の場合の例を、図９は、ＲＧＢ信号ＲＧＢinにおける彩度Ｓ＝１００％の場合の例を、それぞれ示している。これらの図において、（Ａ）はＲ信号Ｒinを、（Ｂ）はＧ信号Ｇinを、（Ｃ）はＢ信号Ｂinを、（Ｄ）は輝度信号Ｙを、（Ｅ）は色差信号Ｃｂを、（Ｆ）は色差信号Ｃｒを、（Ｇ）は高域輝度信号Ｙｈを、（Ｈ）はゲイン制御後の高域輝度信号Ｙｈｋを示している。また、（Ｉ）は合成輝度信号（Ｙ＋Ｙｈｋ）を、（Ｊ）は色差信号Ｃｂ（（Ｅ）に示したものと同じ）を、（Ｋ）は色差信号Ｃｒ（（Ｆ）に示したものと同じ）を、（Ｌ）〜（Ｎ）は、ＲＧＢ信号ＲＧＢoutのうち、Ｒ信号Ｒout，Ｇ信号Ｇout，Ｂ信号Ｂoutを示している。なお、ここでは、高域分離部２２として、図２に示した水平３タップのハイパスフィルタ回路を用いていると共に、ゲイン制御部２５におけるゲイン制御量ｋ＝１としている。
【００４５】
まず、図８に示したように、彩度Ｓ＝０％の場合、ここではＲ信号Ｒin，Ｇ信号Ｇin，Ｂ信号Ｂinの信号レベルが同じとなっているため（同図（Ａ）〜（Ｃ））、色差信号Ｃｂ，Ｃｒはいずれも０レベルとなる（同図（Ｅ），（Ｆ））。そして、この場合、彩度Ｓ＝０％であることから、出力されるＲＧＢ信号ＲＧＢoutにおいても、Ｒ信号Ｒout，Ｇ信号Ｇout，Ｂ信号Ｂoutがそれぞれ、輝度合成信号（Ｙ＋Ｙｈｋ）に基づく同一信号レベルの高域周波数成分が付与される（同図（Ｌ）〜（Ｎ））。したがって、これらのＲ信号Ｒout，Ｇ信号Ｇout，Ｂ信号Ｂoutにおいてそれぞれ、元のＲＧＢ信号ＲＧＢinと比べて鮮鋭度が改善されている。
【００４６】
一方、図９に示したように、彩度Ｓ＝１００％の場合、Ｒ信号Ｒinの信号レベルが、輝度信号Ｙおよび色差信号Ｃｂ，Ｃｒへと振り分けられる（同図（Ａ），（Ｄ）〜（Ｆ））。具体的には、例えばＢＴ．７０９のマトリクス回路の場合、Ｒ信号Ｒinの値が１．００、Ｇ信号ＧinおよびＢ信号Ｂinの値が０．００であるときには、輝度信号Ｙの値は０．２１２６、色差信号Ｃｂの値は−０．１１４６、色差信号Ｃｒの値は０．５０００となる。ここで、この彩度Ｓ＝１００％の場合には、輝度合成信号（Ｙ＋Ｙｈｋ）におけるＹｈｋの成分は、Ｒ信号Ｒoutにも付与されると共に、Ｇ信号ＧoutおよびＢ信号Ｂoutにも付与されている（同図（Ｉ），（Ｌ）〜（Ｎ））。
【００４７】
ここで、この比較例１では、図８，図９の結果を比較すると、彩度が高い場合（図９）には、出力信号であるＲＧＢ信号ＲＧＢoutにおいて、鮮鋭度の改善部分（高域成分の領域）での彩度の低下が生じてしまっている（図９（Ｌ）〜（Ｎ））。
【００４８】
また、彩度が高い場合（図９）には、マトリクス比率により輝度信号Ｙの信号レベルが低くなるため（図９（Ｄ））、高域輝度信号Ｙｈ自体も小さくなり、鮮鋭度の改善効果が減少してしまう（図９（Ｌ）〜（Ｎ））。この彩度による輝度信号Ｙの信号レベル低下は色相によっても変化し、例えばＢＴ．７０９の場合、以下のようになる。すなわち、輝度信号Ｙのマトリクス比がＲ＝０．２１２６，Ｇ＝０．７１５２，Ｂ＝０．０７２２であるため、彩度Ｓ＝０％のときを基準とした彩度Ｓ＝１００％のときの信号レベルは、赤色では０．２１２６，緑色では０．７１５２，青色では０．０７２２となる。以上により、入力信号であるＲＧＢ信号ＲＧＢinにおける色相や彩度が高くなるのに応じて、輝度信号Ｙの信号レベルが小さくなり、鮮鋭度改善効果が減少してしまうことが分かる。
【００４９】
このように、比較例１の手法では、ＲＧＢ信号ＲＧＢinに基づく輝度信号Ｙに対してゲイン制御後の高域輝度信号Ｙｈｋを合成することにより、画像の鮮鋭度の改善処理がなされているため、ＲＧＢ信号ＲＧＢoutにおける画像の鮮鋭度の改善効果が不十分となっている。
【００５０】
（本実施の形態の映像信号処理）
これに対して、本実施の形態の映像信号処理部２では、図１に示したように、映像信号処理部２において、入力されたＲＧＢ信号ＲＧＢinに対し、以下のような鮮鋭度の改善処理を行っている。すなわち、まず、色空間変換部２１，２３において、ＲＧＢ信号ＲＧＢinに対する色空間変換を行うことにより、輝度信号ＹおよびＨＳＶ信号をそれぞれ生成する。次に、高域分離部２２において、この輝度信号Ｙの高域周波数成分を分離することにより、高域輝度信号Ｙｈを生成する。次いで、ゲイン制御部２５において、この高域輝度信号Ｙｈに対し、ゲイン制御量算出部２４から出力されるゲイン制御量ｋを用いてゲイン制御を行うことにより、ゲイン制御後の高域輝度信号Ｙｈｋを生成する。次に、合成部２６において、ＨＳＶ信号のうちの明度信号Ｖとゲイン制御後の高域輝度信号Ｙｈｋとを合成することにより、合成明度信号（Ｖ＋Ｙｈｋ）を生成する。そして、色空間変換部２７において、ＨＳＶ信号のうちの色相信号Ｈおよび彩度信号Ｓと、合成明度信号（Ｖ＋Ｙｈｋ）とから構成される映像信号に対して色空間変換を行うことにより、出力映像信号であるＲＧＢ信号ＲＧＢoutを生成する。
【００５１】
すなわち、入力映像信号であるＲＧＢ信号ＲＧＢinに基づく明度信号Ｖに対して、そのＲＧＢ信号ＲＧＢinに基づくゲイン制御後の高域輝度信号Ｙｈｋを合成することにより、画像の鮮鋭度の改善処理がなされる。これにより、ＲＧＢ信号ＲＧＢinに基づく輝度信号Ｙに対してゲイン制御後の高域輝度信号Ｙｈｋを合成することにより画像の鮮鋭度の改善処理がなされている上記比較例１とは異なり、前述した問題が生じないようになる。すなわち、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が、回避される。
【００５２】
ここで、図１０および図１１は、映像信号処理部２における映像信号処理の際の各信号のタイミング波形例を表すものである。図１０は、ＲＧＢ信号ＲＧＢinにおける彩度Ｓ＝０％の場合の例を、図１１は、ＲＧＢ信号ＲＧＢinにおける彩度Ｓ＝１００％の場合の例を、それぞれ示している。これらの図において、（Ａ）はＲ信号Ｒinを、（Ｂ）はＧ信号Ｇinを、（Ｃ）はＢ信号Ｂinを、（Ｄ）は色相信号Ｈを、（Ｅ）は彩度信号Ｓを、（Ｆ）は明度信号Ｖを示している。また、（Ｇ）は輝度信号Ｙを、（Ｈ）は高域輝度信号Ｙｈを、（Ｉ）はゲイン制御後の高域輝度信号Ｙｈｋを示している。また、（Ｊ）は色相信号Ｈ（（Ｄ）に示したものと同じ）を、（Ｋ）は彩度信号Ｓ（（Ｅ）に示したものと同じ）を、（Ｌ）は合成明度信号（Ｖ＋Ｙｈｋ）を、（Ｍ）〜（Ｏ）は、ＲＧＢ信号ＲＧＢoutのうち、Ｒ信号Ｒout，Ｇ信号Ｇout，Ｂ信号Ｂoutを示している。なお、ここでは、高域分離部２２として、図２に示した水平３タップのハイパスフィルタ回路を用いていると共に、ゲイン制御部２５におけるゲイン制御量ｋを、図１０ではｋ＝１，図１１ではｋ＝４としている。
【００５３】
まず、図１０に示したように、彩度Ｓ＝０％の場合、Ｒ信号Ｒin，Ｇ信号Ｇin，Ｂ信号Ｂinの信号レベルが同じとなる（同図（Ａ）〜（Ｃ））。このため、彩度信号Ｓの信号レベルが０となり、明度信号Ｖの信号レベルはｍａｘ（Ｒ，Ｇ，Ｂ）（Ｒ信号Ｒin，Ｇ信号Ｇin，Ｂ信号Ｂinのうちの最大値）となり、色相信号Ｈは、彩度Ｓ＝０％であることから固定値の０レベルとなる（同図（Ｄ）〜（Ｆ））。そして、この場合、彩度Ｓ＝０％であることから、出力されるＲＧＢ信号ＲＧＢoutにおいても、Ｒ信号Ｒout，Ｇ信号Ｇout，Ｂ信号Ｂoutがそれぞれ、明度合成信号（Ｖ＋Ｙｈｋ）に基づく同一信号レベルの高域周波数成分が付与される（同図（Ｍ）〜（Ｏ））。したがって、これらのＲ信号Ｒout，Ｇ信号Ｇout，Ｂ信号Ｂoutにおいてそれぞれ、上記比較例１と同様に、元のＲＧＢ信号ＲＧＢinと比べて鮮鋭度が改善されている。
【００５４】
一方、図１１に示したように、彩度Ｓ＝１００％の場合、ここでは色相Ｈ＝０度（赤色）であることから、彩度信号Ｓの信号レベルが０となり、明度信号Ｖの信号レベルはｍａｘ（Ｒ，Ｇ，Ｂ）となり、色相信号Ｈは固定値の０レベルとなる（同図（Ｄ）〜（Ｆ））。また、本実施の形態では、上記したように、色相信号Ｈおよび彩度信号Ｓを変化させずに、明度信号Ｖに対してゲイン制御後の高域輝度信号Ｙｈｋを合成しているため、Ｒ信号Ｒoutにのみ、明度合成信号（Ｖ＋Ｙｈｋ）のＹｈｋの成分が付与されている（同図（Ｍ））。したがって、上記したように、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が、回避されていることが分かる（同図（Ｍ）〜（Ｏ））。
【００５５】
以上のように本実施の形態では、映像信号処理部２において、ＲＧＢ信号ＲＧＢinに基づく明度信号Ｖに対し、そのＲＧＢ信号ＲＧＢinに基づくゲイン制御後の高域輝度信号Ｙｈｋを合成することにより、画像の鮮鋭度の改善処理を行うようにしたので、上記比較例１における問題が生じないようになる。すなわち、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等を回避することができる。よって、画像の鮮鋭度を従来と比べてより適切に改善することが可能となる。
【００５６】
また、高域輝度信号Ｙｈに対するゲイン制御を行うゲイン制御部２５を設けると共に、合成部２６において、明度信号Ｖとゲイン制御後の高域輝度信号Ｙｈｋとを合成することにより合成明度信号（Ｖ＋Ｙｈｋ）を生成するようにしたので、任意の色相，彩度，明度の領域において、任意の量の先鋭度改善処理を行うことが可能となる。
【００５７】
更に、色相信号Ｈ、彩度信号Ｓおよび明度信号Ｖに基づいて、ゲイン制御の際のゲイン制御量ｋを算出するゲイン制御量算出部２４を設けるようにしたので、ＲＧＢ信号ＲＧＢinに基づく色相信号Ｈ、彩度信号Ｓおよび明度信号Ｖを用いて、所望のゲイン調整を行うことが可能となる。
【００５８】
＜２．変形例＞
以下、本発明の変形例をいくつか挙げて説明する。なお、上記実施の形態における構成要素と同一のものには同一の符号を付し、適宜説明を省略する。
【００５９】
（変形例１）
図１２は、変形例１に係る表示装置１Ａのブロック構成を表すものである。この表示装置１Ａは、上記実施の形態の表示装置１において、映像信号処理部２の代わりに映像信号処理部２Ａを設けるようにしたものである。すなわち、鮮鋭度を高めるための高域周波数成分を、上記実施の形態のような輝度信号Ｙからではなく、明度信号Ｖから生成するようになっており、明度信号Ｖと、後述するゲイン制御後の高域明度信号Ｖｈｋとを合成する場合に対応している。
【００６０】
映像信号処理部２Ａは、色空間変換部２３，２７Ａと、高域分離部２２Ａと、ゲイン制御量算出部２４と、ゲイン制御部２５Ａと、合成部２６Ａとを有している。すなわち、映像信号処理部２において、色空間変換部２１を設けないようにし、高域分離部２２、ゲイン制御部２５、合成部２６および色空間変換部２７の代わりに、高域分離部２２Ａ、ゲイン制御部２５Ａ、合成部２６Ａおよび色空間変換部２７Ａを設けている。
【００６１】
高域分離部２２Ａは、色空間変換部２３から出力されるＨＳＶ信号のうちの明度信号Ｖの高域周波数成分を分離することにより、高域明度信号Ｖｈを生成するものである。この高域分離部２２Ａも、高域分離部２２と同様に、１次元や２次元のハイパスフィルタ等により構成されている。なお、この高域分離部２２Ａが、本発明における「第２の高域分離部」の一具体例に対応する。
【００６２】
ゲイン制御部２５Ａは、高域分離部２２Ａから出力される高域明度信号Ｖｈに対し、ゲイン制御量算出部２４から出力されるゲイン制御量ｋを用いてゲイン制御を行うことにより、ゲイン制御後の高域明度信号Ｖｈｋを生成するものである。具体的には、高域明度信号Ｖｈにおける高域周波数成分の量を、ゲイン制御量ｋを用いて変化させることにより、ゲイン制御後の高域明度信号Ｖｈｋを生成するようになっている。
【００６３】
合成部２６Ａは、色空間変換部２３から出力されるＨＳＶ信号のうちの明度信号Ｖと、高域分離部２２Ａから出力される高域明度信号Ｖｈとに基づいて合成処理を行うことにより、合成明度信号を生成するものである。具体的には、ここでは、明度信号Ｖと、ゲイン制御部２５Ａから出力されるゲイン制御後の高域明度信号Ｖｈｋとを合成することにより、合成明度信号（Ｖ＋Ｖｈｋ）を生成している。
【００６４】
色空間変換部２７Ａは、色空間変換部２３から出力されるＨＳＶ信号のうちの色相信号Ｈおよび彩度信号Ｓと、合成部２６Ａから出力される合成明度信号（Ｖ＋Ｖｈｋ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７Ａは、色空間変換部２３の逆特性を有するマトリクス回路等により構成される。なお、この色空間変換部２７Ａは、本発明における「第２の色空間変換部」の一具体例に対応する。
【００６５】
本変形例の映像信号処理部２Ａでは、ＲＧＢ信号ＲＧＢinに基づく明度信号Ｖに対して、そのＲＧＢ信号ＲＧＢinに基づくゲイン制御後の高域明度信号Ｖｈｋを合成することにより、画像の鮮鋭度の改善処理がなされる。これにより、上記実施の形態と同様の作用により、上記比較例１における問題が生じないようになる。すなわち、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が、回避される。
【００６６】
ここで、図１３および図１４は、映像信号処理部２Ａにおける映像信号処理の際の各信号のタイミング波形例を表すものである。図１３は、ＲＧＢ信号ＲＧＢinにおける彩度Ｓ＝０％の場合の例を、図１４は、ＲＧＢ信号ＲＧＢinにおける彩度Ｓ＝１００％の場合の例を、それぞれ示している。これらの図において、（Ａ）はＲ信号Ｒinを、（Ｂ）はＧ信号Ｇinを、（Ｃ）はＢ信号Ｂinを、（Ｄ）は色相信号Ｈを、（Ｅ）は彩度信号Ｓを、（Ｆ）は明度信号Ｖを、（Ｇ）は高域明度信号Ｖｈを、（Ｈ）はゲイン制御後の高域明度信号Ｖｈｋを示している。また、（Ｉ）は色相信号Ｈ（（Ｄ）に示したものと同じ）を、（Ｊ）は彩度信号Ｓ（（Ｅ）に示したものと同じ）を、（Ｋ）は合成明度信号（Ｖ＋Ｖｈｋ）を、（Ｌ）〜（Ｎ）は、ＲＧＢ信号ＲＧＢoutのうち、Ｒ信号Ｒout，Ｇ信号Ｇout，Ｂ信号Ｂoutを示している。なお、ここでは、高域分離部２２Ａとして、図２に示した水平３タップのハイパスフィルタ回路を用いていると共に、ゲイン制御部２５Ａにおけるゲイン制御量ｋ＝１としている。
【００６７】
まず、図１３に示したように、彩度Ｓ＝０％の場合、上記実施の形態と同様に、Ｒ信号Ｒout，Ｇ信号Ｇout，Ｂ信号Ｂoutにおいてそれぞれ、元のＲＧＢ信号ＲＧＢinと比べて鮮鋭度が改善されている（同図（Ｌ）〜（Ｎ））。
【００６８】
また、図１４に示したように、彩度Ｓ＝１００％の場合にも、上記実施の形態と同様の結果となっている。すなわち、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が、回避されている（同図（Ｌ）〜（Ｎ））。
【００６９】
以上のように本変形例では、映像信号処理部２Ａにおいて、ＲＧＢ信号ＲＧＢinに基づく明度信号Ｖに対し、そのＲＧＢ信号ＲＧＢinに基づくゲイン制御後の高域明度信号Ｖｈｋを合成することにより、画像の鮮鋭度の改善処理を行うようにしたので、上記実施の形態と同様の作用により同様の効果を得ることができる。すなわち、画像の鮮鋭度を従来と比べてより適切に改善することが可能となる。
【００７０】
（変形例２）
図１５は、変形例２に係る表示装置１Ｂのブロック構成を表すものである。この表示装置１Ｂは、上記実施の形態の表示装置１において、映像信号処理部２の代わりに映像信号処理部２Ｂを設けるようにしたものである。すなわち、上記実施の形態の手法と上記変形例１の手法とを組み合わせたものに対応しており、明度信号Ｖと、後述するゲイン制御後の高域合成信号ＹＶｈｋとを合成する場合に対応している。
【００７１】
映像信号処理部２Ｂは、色変換部２１，２３，２７Ｂと、高域分離部２２，２２Ａと、ゲイン制御量算出部２４Ｂと、ゲイン制御部２５Ｂと、合成部２６Ｂとを有している。すなわち、変形例１で説明した映像信号処理部２Ａにおいて、上記実施の形態で説明した色空間変換部２１および高域分離部２２を設けている。またそれと共に、ゲイン制御量算出部２４、ゲイン制御部２５Ａ、合成部２６Ａおよび色空間変換部２７Ａの代わりに、ゲイン制御量算出部２４Ｂ、ゲイン制御部２５Ｂ、合成部２６Ｂおよび色空間変換部２７Ｂを設けている。
【００７２】
ゲイン制御量算出部２４Ｂは、色空間変換部２３から出力される色相信号Ｈ、彩度信号Ｓおよび明度信号Ｖの各信号に基づいて、後述するゲイン制御部２５Ｂにおけるゲイン制御の際のゲイン制御量ｋ１，ｋ２をそれぞれ算出するものである。ここで、ゲイン制御量ｋ１は、高域輝度信号Ｙｈに対するゲイン制御量に対応し、ゲイン制御量ｋ２は、高域明度信号Ｖｈに対するゲイン制御量に対応している。なお、このゲイン制御量算出部２４は、本発明における「算出部」の一具体例に対応する。
【００７３】
ゲイン制御部２５Ｂは、高域分離部２２から出力される高域輝度信号Ｙｈに対し、ゲイン制御量算出部２４Ｂから出力されるゲイン制御量ｋ１を用いてゲイン制御を行うことにより、ゲイン制御後の高域輝度信号Ｙｈｋを生成している。具体的には、高域輝度信号Ｙｈにおける高域周波数成分の量を、ゲイン制御量ｋを用いて変化させることにより、ゲイン制御後の高域輝度信号Ｙｈｋを生成するようになっている。また、このゲイン制御部２５Ｂは、高域分離部２２Ａから出力される高域明度信号Ｖｈに対し、ゲイン制御量算出部２４Ｂから出力されるゲイン制御量ｋ２を用いてゲイン制御を行うことにより、ゲイン制御後の高域明度信号Ｖｈｋを生成している。具体的には、高域明度信号Ｖｈにおける高域周波数成分の量を、ゲイン制御量ｋ２を用いて変化させることにより、ゲイン制御後の高域明度信号Ｖｈｋを生成するようになっている。
【００７４】
このゲイン制御部２５Ｂではまた、高域輝度信号Ｙｈと高域明度信号Ｖｈとに基づく合成信号（高域合成信号ＹＶｈｋ）を生成するようになっている。具体的には、ここでは、ゲイン制御後の高域輝度信号Ｙｈｋ１とゲイン制御後の高域明度信号Ｖｈｋ２とに基づいて、高域合成信号ＹＶｈｋを生成している。この際、この高域合成信号ＹＶｈｋにおいて、ゲイン制御後の高域輝度信号Ｙｈｋ１とゲイン制御後の高域明度信号Ｖｈｋ２との間で、所定の重み付けがなされるようになっている。すなわち、そのような重み付け係数をα，βとすると、ＹＶｈｋ＝（α×Ｙｈｋ１＋β×Ｖｈｋ２）と表されるようになっている。
【００７５】
合成部２６Ｂは、色空間変換部２３から出力される明度信号Ｖと、高域輝度信号Ｙｈと高域明度信号Ｖｈとに基づく合成信号と、に基づいて合成処理を行うことにより、合成明度信号を生成するものである。具体的には、ここでは、明度信号Ｖと、ゲイン制御部２５Ｂから出力される高域合成信号ＹＶｈｋとを合成することにより、合成明度信号（Ｖ＋ＹＶｈｋ）を生成している。
【００７６】
色空間変換部２７Ｂは、色空間変換部２３から出力される色相信号Ｈおよび彩度信号Ｓと、合成部２６Ｂから出力される合成明度信号（Ｖ＋ＹＶｈｋ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７Ｂは、色空間変換部２３の逆特性を有するマトリクス回路等により構成される。なお、この色空間変換部２７Ｂは、本発明における「第２の色空間変換部」の一具体例に対応する。
【００７７】
このような構成により本変形例においても、上記実施の形態および上記変形例１と同様の作用により同様の効果を得ることができる。すなわち、画像の鮮鋭度を従来と比べてより適切に改善することが可能となる。
【００７８】
また、明度信号Ｖと、ゲイン制御部２５Ｂから出力される高域合成信号ＹＶｈｋとを合成することにより、合成明度信号（Ｖ＋ＹＶｈｋ）を生成するようにしたので、高域輝度信号および高域明度信号のそれぞれの領域で同時に鮮鋭度を改善させることが可能となる。
【００７９】
更に、高域合成信号ＹＶｈｋにおいて、ゲイン制御後の高域輝度信号Ｙｈｋ１とゲイン制御後の高域明度信号Ｖｈｋ２との間で、所定の重み付けがなされるようにしたので、画像の特徴応じて重み付け量を変化させることにより、それぞれの画像に最適な鮮鋭度改善を行うことが可能となる。
【００８０】
（変形例３）
図１６は、変形例３に係る表示装置１Ｃのブロック構成を表すものである。この表示装置１Ｃは、上記実施の形態の表示装置１において、映像信号処理部２の代わりに映像信号処理部２Ｃを設けるようにしたものである。すなわち、ゲイン制御後の高域輝度信号Ｙｈｋを、明度信号Ｖではなく、彩度信号Ｓに合成する場合に対応している。
【００８１】
映像信号処理部２Ｃは、色空間変換部２１，２３，２７Ｃと、高域分離部２２と、ゲイン制御量算出部２４と、ゲイン制御部２５と、合成部２６Ｃとを有している。すなわち、映像信号処理部２において、合成部２６および色空間変換部２７の代わりに、合成部２６Ｃおよび色空間変換部２７Ｃを設けている。
【００８２】
合成部２６Ｃは、色空間変換部２３から出力されるＨＳＶ信号のうちの彩度信号Ｓと、高域分離部２２から出力される高域輝度信号Ｙｈとに基づいて合成処理を行うことにより、合成彩度信号を生成するものである。具体的には、ここでは、彩度信号Ｓと、ゲイン制御部２５から出力されるゲイン制御後の高域輝度信号Ｙｈｋとを合成することにより、合成彩度信号（Ｓ＋Ｙｈｋ）を生成している。
【００８３】
色空間変換部２７Ｃは、色空間変換部２３から出力される明度信号Ｖおよび色相信号Ｈと、合成部２ＣＢから出力される合成彩度信号（Ｓ＋ＹＶｈｋ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７Ｃは、色空間変換部２３の逆特性を有するマトリクス回路等により構成される。なお、この色空間変換部２７Ｃは、本発明における「第２の色空間変換部」の一具体例に対応する。
【００８４】
本変形例の映像信号処理部２Ｃでは、ＲＧＢ信号ＲＧＢinに基づく彩度信号Ｓに対して、そのＲＧＢ信号ＲＧＢinに基づくゲイン制御後の高域輝度信号Ｙｈｋを合成することにより、画像の鮮鋭度の改善処理がなされる。これにより、上記実施の形態と同様の作用により、上記比較例１における問題が生じないようになる。すなわち、ＲＧＢ信号ＲＧＢoutにおいて、鮮鋭度の改善部分（高域成分の領域）での彩度の低下や、ＲＧＢ信号ＲＧＢinにおける色相または彩度の大きさに応じた鮮鋭度の改善効果の減少等が、回避される。また、上記実施の形態および変形例１，２では、明度信号Ｖに対してゲイン制御後の高域輝度信号Ｙｈｋを合成することにより、画像の明暗を強調させる鮮鋭度改善処理を行っていたのに対し、本変形例では、色の濃さを強調させる鮮鋭度改善処理を行うことが可能となる。
【００８５】
ここで、図１７および図１８は、映像信号処理部２Ｃにおける映像信号処理の際の各信号のタイミング波形例を表すものであり、ＲＧＢ信号ＲＧＢinにおける彩度Ｓ＝５０％の場合の例をそれぞれ示している。これらの図において、（Ａ）はＲ信号Ｒinを、（Ｂ）はＧ信号Ｇinを、（Ｃ）はＢ信号Ｂinを、（Ｄ）は色相信号Ｈを、（Ｅ）は彩度信号Ｓを、（Ｆ）は明度信号Ｖを、（Ｇ）は輝度信号Ｙを、（Ｈ）は高域輝度信号Ｙｈを、（Ｉ）はゲイン制御後の高域輝度信号Ｙｈｋを示している。また、（Ｊ）は色相信号Ｈ（（Ｄ）に示したものと同じ）を、（Ｋ）は合成彩度信号（Ｓ＋Ｙｈｋ）を、（Ｌ）は明度信号Ｖ（（Ｆ）に示したものと同じ）を、（Ｍ）〜（Ｏ）は、ＲＧＢ信号ＲＧＢoutのうち、Ｒ信号Ｒout，Ｇ信号Ｇout，Ｂ信号Ｂoutを示している。なお、ここでは、高域分離部２２として、図２に示した水平３タップのハイパスフィルタ回路を用いていると共に、ゲイン制御部２５におけるゲイン制御量ｋ＝２としている。
【００８６】
まず、図１７に示した例では、上記実施の形態と同様に、Ｒ信号Ｒout，Ｇ信号Ｇout，Ｂ信号Ｂoutにおいてそれぞれ、元のＲＧＢ信号ＲＧＢinと比べて鮮鋭度が改善されている（同図（Ｍ）〜（Ｏ））。具体的には、同図（Ｊ）〜（Ｌ）から分かるように、色相信号Ｈおよび明度信号Ｖは変化せずに、彩度信号Ｓに対してゲイン制御後の高域輝度信号Ｙｈｋが合成されているため、エッジ部分の彩度が向上し、エッジ部分の色の鮮鋭度が向上している。なお、同図（Ｋ）中の破線および矢印は、負（−）極性の信号値を０に設定していることを示している。
【００８７】
一方、図１８に示した例では、まず、（Ａ）〜（Ｃ）に示したＲ信号Ｒin，Ｇ信号Ｇin，Ｂ信号Ｂinにおいてそれぞれ、図１７（Ａ）〜（Ｃ）の場合と比べ、信号値に対する５０％のオフセットがかけられており、半分の信号値となっている。なお、図１８中の破線は、信号値＝０の電位を示している。このような場合であっても、基本的には図１７に示した例と同様に、色相信号Ｈおよび明度信号Ｖは変化せずに、彩度信号Ｓに対してゲイン制御後の高域輝度信号Ｙｈｋが合成されているため、エッジ部分の彩度が向上し、エッジ部分の色の鮮鋭度が向上している。
【００８８】
ただし、この図１８に示した例では、同図（Ｈ）に示したように、ゲイン制御部２５によるゲイン制御の際に、信号値の極性（正（＋）極性，負（−）極性）ごとに、ゲイン制御の方向および大きさが個別に制御されている。これにより、信号値の極性に応じたより精密な（きめ細やかな）ゲイン制御を行うことができ、エッジ部分の色の鮮鋭度をより適切に向上させることが可能となっている。
【００８９】
次に、図１９〜図２１を参照して、本変形例の映像信号処理部２Ｃにおける映像信号処理動作を、比較例（比較例２）に係る従来の映像信号処理部２０２における映像信号処理動作と比較して説明する。
【００９０】
図１９は、比較例２に係る映像信号処理部２０２のブロック構成を表すものである。この映像信号処理部２０２は、前述した色空間変換部１０３と、２つのクロマシャープネス処理部２０３，２０４と、色空間変換部２０７とを有している。
【００９１】
クロマシャープネス処理部２０３は、色空間変換部１０３から出力される色差信号Ｃｒに対してクロマシャープネス処理を行うことにより、そのような処理後の色差信号Ｃｒ１０１を生成するものである。具体的には、後述する図２０において説明するように、色差信号Ｃｒと、この色差信号Ｃｒの高域成分から得られるシャープネス補正信号Ｃｒ１００とを合成することにより、色差信号Ｃｒ１０１を生成している。
【００９２】
クロマシャープネス処理部２０４も同様に、色空間変換部１０３から出力される色差信号Ｃｂに対してクロマシャープネス処理を行うことにより、そのような処理後の色差信号Ｃｂ１０１を生成するものである。具体的には、後述する図２０において説明するように、色差信号Ｃｂと、この色差信号Ｃｂの高域成分から得られるシャープネス補正信号Ｃｂ１００とを合成することにより、色差信号Ｃｂ１０１を生成している。
【００９３】
色空間変換部２０７は、色空間変換部１０３から出力される輝度信号Ｙと、クロマシャープネス処理部２０３から出力される色差信号Ｃｒ１０１と、クロマシャープネス処理部２０４から出力される色差信号Ｃｂ１０１とから構成される映像信号（ＹＣｂＣｒ信号）に対し、色空間変換を行うものである。これにより、ＲＧＢ色空間により規定される出力映像信号である、ＲＧＢ信号ＲＧＢoutが生成されるようになっている。この色空間変換部２０７は、色空間変換部１０３の逆特性を有するマトリクス回路等により構成される。
【００９４】
ここで、図２０は、この比較例２に係る映像信号処理部２０２における映像信号処理の際の各信号のタイミング波形例を表すものである。この図において、（Ａ）はＲ信号Ｒinを、（Ｂ）はＧ信号Ｇinを、（Ｃ）はＢ信号Ｂinを、（Ｄ）は輝度信号Ｙを、（Ｅ）は色差信号Ｃｒを、（Ｆ）は色差信号Ｃｂを、（Ｇ）は色差信号（シャープネス補正信号）Ｃｒ１００を、（Ｈ）は色差信号（シャープネス補正信号）Ｃｂ１００を示している。また、（Ｉ）は色差信号Ｃｒ１０１を、（Ｊ）は色差信号Ｃｂ１０１を、（Ｋ）〜（Ｍ）は、ＲＧＢ信号ＲＧＢoutのうち、Ｒ信号Ｒout，Ｇ信号Ｇout，Ｂ信号Ｂoutを示している。なお、（Ａ）〜（Ｃ）に示したＲ信号Ｒin，Ｇ信号Ｇin，Ｂ信号Ｂinでは、波形の左部分の彩度＝０％，中央部分の彩度＝５０％，右部分の彩度＝７５％となっていると共に、信号の正極側および負極側にそれぞれ、パルス状の高周波成分が重畳されている。
【００９５】
また、図２１は、本変形例の映像信号処理部２Ｃにおける映像信号処理の際の各信号のタイミング波形例を表すものである。この図において、（Ａ）〜（Ｏ）に示した各信号は、前述した図１７，図１８（Ａ）〜（Ｏ）の各信号と同一となっている。また、図２０の場合と同様に、（Ａ）〜（Ｃ）に示したＲ信号Ｒin，Ｇ信号Ｇin，Ｂ信号Ｂinでは、波形の左部分の彩度＝０％，中央部分の彩度＝５０％，右部分の彩度＝７５％となっていると共に、信号の正極側および負極側にそれぞれ、パルス状の高周波成分が重畳されている。
【００９６】
まず、図２０に示した比較例２では、同図（Ｋ）〜（Ｍ）に示したＲ信号Ｒout，Ｇ信号Ｇout，Ｂ信号Ｂoutにおいて、色の高域部分の鮮鋭度が改善されているものの、高域成分の輝度の変化に応じて彩度および色相の変化も生じており、副作用が多くなっている。
【００９７】
これに対し、図２１に示した本変形例では、彩度成分の補正と明度成分の補正とでは、独立して補正量（ゲイン制御量）を決定することできると共に、相互の影響が生じない。具体的には、ここではまず、波形の左側部分（Ｓ＝０％の部分）では、元々無彩色であり彩度を上げる必要はないことから、（Ｉ）に示した彩度の補正信号（ゲイン制御後の高域輝度信号Ｙｈｋ）の値は０％となっている。また、波形の中央部分（Ｓ＝５０％の部分）では、少し彩度を上げるため、（Ｉ）に示した彩度の補正信号の値は２５％となっており、この部分の彩度が５０％から７５％に改善している。また、波形の右側部分（Ｓ＝７５％の部分）でも、彩度を上げるため、（Ｉ）に示した彩度の補正信号の値が２５％となっており、この部分の彩度が７５％から１００％に改善している。このようにして、本変形例では、比較例２のクロマシャープネス処理と比べ、色の鮮鋭感の改善効果が大きく、また上記したような副作用も生じない。
【００９８】
また、本変形例では、図２１に示したような周波数帯域がフラットなＲＧＢ信号ＲＧＢinとは異なり、例えばＲＧＢ信号ＲＧＢinの色領域において帯域制限がなされている場合には、以下のようになる。具体的には、入力映像信号であるＲＧＢ信号ＲＧＢinを映像信号処理部２Ｃへ伝送する過程において、このＲＧＢ信号ＲＧＢinの基となるＹＣｂＣｒ信号のうち、色差信号Ｃｂ，Ｃｒに対して周波数の帯域制限を行った場合に対応している。
【００９９】
図２２は、本変形例において、このような周波数の帯域制限がなされている場合における映像信号処理の際の各信号のタイミング波形例を表すものである。この図において、（Ａ）〜（Ｃ）は、大元となるＲ信号Ｒ０，Ｇ信号Ｇ０，Ｂ信号Ｂ０を、（Ｄ）〜（Ｆ）はこれらのＲＧＢ信号から色変換により得られた輝度信号Ｙ０，色差信号Ｃｒ０，色差信号Ｃｂ０を示している。また、（Ｇ），（Ｈ）は色差信号Ｃｒ０、Ｃｂ０に対して帯域制限を行った後の色差信号Ｃｒ１，Ｃｂ１を示しており、輝度信号Ｙ０およびこれらの色差信号Ｃｒ１，Ｃｂ１に対する色変換によりＲＧＢ信号ＲＧＢinが得られるようになっている。また、（Ｉ）〜（Ｗ）に示した各信号は、前述した図２１（Ａ）〜（Ｏ）の各信号と同一となっている。
【０１００】
この図２２に示した例では、同図（Ｇ）に示したように、伝送過程において帯域制限がなされることにより、色信号（ここでは色差信号Ｃｒ１）において、低中域信号成分に対して高域信号成分が少なくなり、彩度が低下している。この場合に、（Ｑ）に示した彩度の補正信号（ゲイン制御後の高域輝度信号Ｙｈｋ）において、そのような帯域制限による彩度低下を考慮した補正量（ゲイン制御量）が設定されることにより、帯域制限による彩度低下を改善もしくは回避することが可能となっている。
【０１０１】
以上のように本変形例では、映像信号処理部２Ｃにおいて、ＲＧＢ信号ＲＧＢinに基づく彩度信号Ｓに対し、そのＲＧＢ信号ＲＧＢinに基づくゲイン制御後の高域輝度信号Ｙｈｋを合成することにより、画像の色の鮮鋭度の改善処理を行うようにしたので、上記実施の形態と同様の作用により同様の効果を得ることができる。すなわち、画像の鮮鋭度を従来と比べてより適切に改善することが可能となる。
【０１０２】
また、高域輝度信号Ｙｈに対するゲイン制御を行うゲイン制御部２５を設けると共に、合成部２６Ｃにおいて、彩度信号Ｓとゲイン制御後の高域輝度信号Ｙｈｋとを合成することにより合成彩度信号（Ｓ＋Ｙｈｋ）を生成するようにしたので、任意の色相，彩度，明度の領域において、任意の部分の色先鋭度改善処理を行うことが可能となる。
【０１０３】
（変形例４）
図２３は、変形例４に係る表示装置１Ｄのブロック構成を表すものである。この表示装置１Ｄは、上記実施の形態の表示装置１において、映像信号処理部２の代わりに映像信号処理部２Ｄを設けるようにしたものである。すなわち、上記実施の形態の手法と上記変形例３の手法とを組み合わせたものに対応しており、ゲイン制御後の高域輝度信号Ｙｈｋを、明度信号Ｖだけなく彩度信号Ｓにも合成する場合に対応している。
【０１０４】
映像信号処理部２Ｄは、色空間変換部２１，２３，２７Ｄと、高域分離部２２と、ゲイン制御量算出部２４と、ゲイン制御部２５と、合成部２６Ｃとを有している。すなわち、変形例３の映像信号処理部２Ｃにおいて、色空間変換部２７Ｃの代わりに色空間変換部２７Ｄを設けている。
【０１０５】
色空間変換部２７Ｄは、色空間変換部２３から出力される色相信号Ｈと、合成部２６から出力される合成明度信号（Ｖ＋Ｙｈｋ）と、合成部２６Ｃから出力される合成彩度信号（Ｓ＋Ｙｈｋ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７Ｄは、色空間変換部２３の逆特性を有するマトリクス回路等により構成される。なお、この色空間変換部２７Ｄは、本発明における「第２の色空間変換部」の一具体例に対応する。
【０１０６】
このような構成により本変形例においても、上記実施の形態および上記変形例３と同様の作用により同様の効果を得ることができる。すなわち、画像の鮮鋭度を従来と比べてより適切に改善することが可能となる。また、画像の明暗を強調させる鮮鋭度改善処理と、色の濃さを強調させる鮮鋭度改善処理との双方を行うことが可能となる。
【０１０７】
（変形例５）
図２４は、変形例５に係る表示装置１Ｅのブロック構成を表すものである。この表示装置１Ｅは、上記実施の形態の表示装置１において、映像信号処理部２の代わりに映像信号処理部２Ｅを設けるようにしたものである。すなわち、これまで説明した実施の形態および変形例１〜４では、入力映像信号であるＲＧＢ信号ＲＧＢinに対して色変換を行うことにより間接的に得られる輝度信号Ｙにおける高域周波数成分を分離することにより、高域輝度信号Ｙｈを生成していた。これに対し、本変形例では、入力映像信号であるＹＣｂＣｒ信号ＹＣｂＣｒinから直接得られる輝度信号Ｙinにおける高域周波数成分を分離することにより、高域輝度信号Ｙｈを生成するようになっている。
【０１０８】
映像信号処理部２Ｅは、色空間変換部２０，２３，２７と、高域分離部２２と、ゲイン制御量算出部２４と、ゲイン制御部２５と、合成部２６とを有している。すなわち、映像信号処理部２において、色空間変換部２１の代わりに色空間変換部２０を設けている。
【０１０９】
色空間変換部２０は、外部から入力されるＹＣｂＣｒ信号ＹＣｂＣｒinに対して色空間変換を行うことにより、ＲＧＢ信号ＲＧＢinを生成し、色空間変換部２３へ出力するものである。なお、この入力されるＹＣｂＣｒ信号ＹＣｂＣｒinのうちの輝度信号Ｙinは、高域分離部２２へも供給されるようになっている。すなわち、本変形例の高域分離部２２では、入力映像信号であるＹＣｂＣｒ信号ＹＣｂＣｒinにおける輝度信号Ｙinを用いて、高域輝度信号Ｙｈを生成している。なお、ここでは、この色空間変換部２０および色空間変換部２３が、本発明における「第１の色空間変換部」の一具体例に対応している。
【０１１０】
このようにして、本変形例のように、入力映像信号であるＹＣｂＣｒ信号ＹＣｂＣｒinから直接得られる輝度信号Ｙinにおける高域周波数成分を分離することによって、高域輝度信号Ｙｈを生成する場合であっても、上記実施の形態と同様の作用により同様の効果を得ることができる。すなわち、画像の鮮鋭度を従来と比べてより適切に改善することが可能となる。
【０１１１】
（変形例６）
図２５は、変形例６に係る表示装置１Ｆのブロック構成を表すものである。この表示装置１Ｆは、上記実施の形態の表示装置１において、映像信号処理部２の代わりに映像信号処理部２Ｆを設けるようにしたものである。すなわち、輝度信号Ｙから分離して得られるストラクチャー成分信号（画像の輪郭を構成する成分の信号）およびテクスチャー成分信号（画像の細部を構成する成分の信号）をそれぞれ、高域輝度信号として用いるようにしたものに対応している。なお、信号上では、ストラクチャー成分は、エッジを含む平均振幅成分（信号全体における振幅変動の傾向を表す成分）に相当し、テクスチャー成分は、それ以外の比較的高い周波数で小振幅である成分に相当する。
【０１１２】
映像信号処理部２Ｆは、色空間変換部２１，２３，２７Ｆと、高域分離部２２Ｆと、ゲイン制御量算出部２４と、ゲイン制御部２５Ｆと、２つの合成部２６Ｆ１，２６Ｆ２とを有している。すなわち、変形例４の映像信号処理部２Ｄにおいて、高域分離部２２、ゲイン制御部２５、合成部２６，２６Ｃおよび色空間変換部２７Ｄの代わりに、高域分離部２２Ｆ、ゲイン制御部２５Ｆ、合成部２６Ｆ１，２６Ｆ２および色空間変換部２７Ｆを設けている。
【０１１３】
高域分離部２２Ｆは、色空間変換部２１から出力される輝度信号Ｙから、その高域成分であるストラクチャー成分信号ＳＴＲ２およびテクスチャー成分信号ＴＥＸ２をそれぞれ分離して出力するものである。この高域分離部２２Ｆは、Ｓ／Ｔ分離部２２Ｆ１と、ストラクチャー補正部２２Ｆ２と、テクスチャー増幅部２２Ｆ３とを有している。
【０１１４】
Ｓ／Ｔ分離部２２Ｆ１は、例えば図２６（Ａ）〜（Ｃ）に示したようにして、輝度信号Ｙから、その高域成分であるストラクチャー成分信号ＳＴＲ１およびテクスチャー成分信号ＴＥＸ１をそれぞれ分離して出力するものである。ストラクチャー補正部２２Ｆ２は、例えば図２６（Ｄ）に示したように、ストラクチャー成分信号ＳＴＲ１に対して、低域側（黒側）が持ち上がると共に高域側（白側）が抑えられるように振幅の補正を行い、ストラクチャー成分信号ＳＴＲ２を生成するものである。ただし、補正方法はこれには限られず、他の手法を用いてもよい。一方、テクスチャー増幅部２２Ｆ３は、例えば図２６（Ｅ）に示したように、テクスチャー成分信号ＴＥＸ１に対して信号の増幅を行うことにより、テクスチャー成分信号ＴＥＸ２を生成するものである。なお、この高域分離部２２Ｆは、本発明における「第１の高域分離部」の一具体例に対応する。
【０１１５】
ゲイン制御部２５Ｆは、高域分離部２２Ｆから出力されるストラクチャー成分信号ＳＴＲ２およびテクスチャー成分信号ＴＥＸ２に対してゲイン制御を行うことにより、ゲイン制御後の高域輝度信号に対応する補正量ｄＶ，ｄＳをそれぞれ出力するものである。このゲイン制御部２５Ｆは、例えば図２７に示したように、Ｖ用ストラクチャー補正部２５Ｆ１と、Ｓ用ストラクチャー補正部２５Ｆ２と、Ｖ用テクスチャー補正部２５Ｆ３と、Ｓ用テクスチャー補正部２５Ｆ４と、２つの補正量合成部２５Ｆ５，２５Ｆ６とを有している。
【０１１６】
Ｖ用ストラクチャー補正部２５Ｆ１は、ストラクチャー成分信号ＳＴＲ２に対し、ゲイン制御量ｋの１つである補正係数ｋ＿ＳＴＲ＿Ｖを用いて補正を行う（ゲイン制御を行う）ことにより、明度信号Ｖに対するストラクチャー成分からの補正量ＳＴＲ＿Ｖを生成するものである。Ｓ用ストラクチャー補正部２５Ｆ２は、ストラクチャー成分信号ＳＴＲ２に対し、ゲイン制御量ｋの１つである補正係数ｋ＿ＳＴＲ＿Ｓを用いて補正を行う（ゲイン制御を行う）ことにより、彩度信号Ｓに対するストラクチャー成分からの補正量ＳＴＲ＿Ｓを生成するものである。
【０１１７】
Ｖ用テクスチャー補正部２５Ｆ３は、テクスチャー成分信号ＴＥＸ２に対し、ゲイン制御量ｋの１つである補正係数ｋ＿ＴＥＸ＿Ｖを用いて補正を行う（ゲイン制御を行う）ことにより、明度信号Ｖに対するテクスチャー成分からの補正量ＴＥＸ＿Ｖを生成するものである。Ｓ用テクスチャー補正部２５Ｆ４は、テクスチャー成分信号ＴＥＸ２に対し、ゲイン制御量ｋの１つである補正係数ｋ＿ＴＥＸ＿Ｓを用いて補正を行う（ゲイン制御を行う）ことにより、彩度信号Ｓに対するテクスチャー成分からの補正量ＴＥＸ＿Ｓを生成するものである。
【０１１８】
補正量合成部２５Ｆ５は、Ｖ用ストラクチャー補正部２５Ｆ１から出力される補正量ＳＴＲ＿Ｖと、Ｖ用テクスチャー補正部２５Ｆ３から出力される補正量ＴＥＸ＿Ｖとを合成することにより、明度信号Ｖに対する補正量ｄＶを生成するものである。補正量合成部２５Ｆ６は、Ｓ用ストラクチャー補正部２５Ｆ２から出力される補正量ＳＴＲ＿Ｓと、Ｓ用テクスチャー補正部２５Ｆ４から出力される補正量ＴＥＸ＿Ｓとを合成することにより、彩度信号Ｓに対する補正量ｄＳを生成するものである。
【０１１９】
合成部２６Ｆ１は、色空間変換部２３から出力されるＨＳＶ信号のうちの明度信号Ｖと、高域分離部２２Ｆから出力されるストラクチャー成分信号ＳＴＲ２およびテクスチャー成分信号ＴＥＸ２（高域輝度信号）とに基づいて合成処理を行うことにより、合成明度信号を生成するものである。具体的には、ここでは、明度信号Ｖと、ゲイン制御部２５Ｆから出力される補正量ｄＶ（ゲイン制御後の高域輝度信号）とを合成することにより、合成明度信号（Ｖ＋ｄＶ）を生成している。
【０１２０】
合成部２６Ｆ２は、色空間変換部２３から出力されるＨＳＶ信号のうちの彩度信号Ｓと、高域分離部２２Ｆから出力されるストラクチャー成分信号ＳＴＲ２およびテクスチャー成分信号ＴＥＸ２（高域輝度信号）とに基づいて合成処理を行うことにより、合成彩度信号を生成するものである。具体的には、ここでは、彩度信号Ｓと、ゲイン制御部２５Ｆから出力される補正量ｄＳ（ゲイン制御後の高域輝度信号）とを合成することにより、合成彩度信号（Ｓ＋ｄＳ）を生成している。
【０１２１】
色空間変換部２７Ｆは、色空間変換部２３から出力される色相信号Ｈと、合成部２６Ｆ１から出力される合成明度信号（Ｖ＋ｄＶ）と、合成部２６Ｆ２から出力される合成彩度信号（Ｓ＋ｄＳ）とから構成される映像信号（ＨＳＶ信号）に対し、色空間変換を行うものである。これにより、ＲＧＢ色空間により規定される出力映像信号である、ＲＧＢ信号ＲＧＢoutが生成されるようになっている。この色空間変換部２７Ｆは、色空間変換部２３の逆特性を有するマトリクス回路等により構成される。なお、この色空間変換部２７Ｆは、本発明における「第２の色空間変換部」の一具体例に対応する。
【０１２２】
ここで、図２８は、映像信号処理部２Ｆにおける映像信号処理の際の各信号のタイミング波形例を表すものである。この図において、（Ａ）はＲ信号Ｒinを、（Ｂ）はＧ信号Ｇinを、（Ｃ）はＢ信号Ｂinを、（Ｄ）は色相信号Ｈを、（Ｅ）は彩度信号Ｓを、（Ｆ）は明度信号Ｖを示している。また、（Ｇ）はテクスチャー成分信号ＴＥＸ１を、（Ｈ）はストラクチャー成分信号ＳＴＲ１を、（Ｉ）はテクスチャー成分信号ＴＥＸ２を、（Ｊ）はストラクチャー成分信号ＳＴＲ２を、（Ｋ）は補正量ｄＶを示している。また、（Ｌ）は色相信号Ｈ（（Ｄ）に示したものと同じ）を、（Ｍ）は彩度信号Ｓ（（Ｅ）に示したものと同じ）を、（Ｎ）は合成明度信号（Ｖ＋ｄＶ）を、（Ｏ）〜（Ｑ）は、ＲＧＢ信号ＲＧＢoutのうち、Ｒ信号Ｒout，Ｇ信号Ｇout，Ｂ信号Ｂoutを示している。なお、ここでは、ＲＧＢ信号ＲＧＢinが、赤色１００％のウィンドウ信号において、幅の狭い縦方向の線が入っている画像を表している。また、ここでは、合成明度信号（Ｖ＋ｄＶ）および合成彩度信号（Ｓ＋ｄＳ）の双方ではなく、合成明度信号（Ｖ＋ｄＶ）のみを生成している場合の例に対応している。
【０１２３】
この図２８に示した例では、（Ｏ）〜（Ｑ）に示したＲＧＢ信号ＲＧＢoutにおいて、（Ａ）〜（Ｃ）に示したＲＧＢ信号ＲＧＢinに対し、鮮鋭感・コントラスト感が増えているが彩度の低下はなく、赤１００％の信号となっている。
【０１２４】
このようにして、本変形例のように、輝度信号Ｙから分離して得られるストラクチャー成分信号およびテクスチャー成分信号をそれぞれ高域輝度信号として用いる場合であっても、上記実施の形態と同様の作用により同様の効果を得ることができる。すなわち、画像の鮮鋭度を従来と比べてより適切に改善することが可能となる。
【０１２５】
（変形例７）
図２９は、変形例７に係る表示装置１Ｇのブロック構成を表すものである。この表示装置１Ｇは、上記実施の形態の表示装置１において、映像信号処理部２の代わりに映像信号処理部２Ｇを設けるようにしたものである。すなわち、上記変形例５，６の手法を組み合わせたものに対応しており、入力映像信号であるＹＣｂＣｒ信号ＹＣｂＣｒinから直接得られる輝度信号Ｙinに基づいて、高域輝度信号に対応するストラクチャー成分信号ＳＴＲ２およびテクスチャー成分信号ＴＥＸ２を生成するようになっている。
【０１２６】
映像信号処理部２Ｇは、色空間変換部２０Ｇ，２３，２７Ｆと、高域分離部２２Ｇと、ゲイン制御量算出部２４と、ゲイン制御部２５Ｆと、２つの合成部２６Ｆ１，２６Ｆ２とを有している。すなわち、変形例６の映像信号処理部２Ｆにおいて、色空間変換部２１および高域分離部２２Ｆの代わりに、色空間変換部２０Ｇおよび高域分離部２２Ｇを設けている。
【０１２７】
高域分離部２２Ｇは、ＹＣｂＣｒ信号ＹＣｂＣｒinのうちの輝度信号Ｙinから、その高域成分であるストラクチャー成分信号ＳＴＲ２およびテクスチャー成分信号ＴＥＸ２をそれぞれ分離して出力するものである。この高域分離部２２Ｇは、前述したＳ／Ｔ分離部２２Ｆ１およびテクスチャー増幅部２２Ｆ３と、ストラクチャーＨ／Ｌ分離部２２Ｇ１と、ストラクチャー補正部２２Ｇ２とを有している。なお、この高域分離部２２Ｇは、本発明における「第１の高域分離部」の一具体例に対応する。
【０１２８】
ストラクチャーＨ／Ｌ分離部２２Ｇ１は、Ｓ／Ｔ分離部２２Ｆ１から出力されるストラクチャー成分信号ＳＴＲ１を更に、ストラクチャー高域成分信号ＳＴＲ１Ｈとストラクチャー低域成分信号ＳＴＲ１Ｌとに分離して出力するものである。
【０１２９】
ストラクチャー補正部２２Ｇ２は、ストラクチャーＨ／Ｌ分離部２２Ｇ１から出力されるストラクチャー高域成分信号ＳＴＲ１Ｈに対して、前述したストラクチャー補正部２２Ｆ２と同様の補正を行い、ストラクチャー成分信号ＳＴＲ２を生成するものである。
【０１３０】
色空間変換部２０Ｇは、ＹＣｂＣｒ信号ＹＣｂＣｒinのうちの色差信号Ｃｂin，Ｃｒinと、ストラクチャーＨ／Ｌ分離部２２Ｇ１から出力されるストラクチャー低域成分信号ＳＴＲ１Ｌ（輝度信号Ｙに対応）とからなる映像信号に対して色空間変換を行うものである。これにより、ＲＧＢ信号ＲＧＢinが生成され、色空間変換部２３へ出力されるようになっている。なお、ここでは、この色空間変換部２０Ｇおよび色空間変換部２３が、本発明における「第１の色空間変換部」の一具体例に対応している。
【０１３１】
ここで、図３０は、映像信号処理部２Ｇにおける映像信号処理の際の各信号のタイミング波形例を表すものである。この図において、（Ａ）は輝度信号Ｙinを、（Ｂ）は色差信号Ｃｒinを、（Ｃ）は色差信号Ｃｂinを示している。また、（Ｄ）はテクスチャー成分信号ＴＥＸ１を、（Ｅ）はストラクチャー成分信号ＳＴＲ１を、（Ｆ）はテクスチャー成分信号ＴＥＸ２を、（Ｇ）はストラクチャー高域成分信号ＳＴＲ１Ｈを、（Ｈ）はストラクチャー低域成分信号ＳＴＲ１Ｌを、（Ｉ）はストラクチャー成分信号ＳＴＲ２を、（Ｊ）は補正量ｄＶを示している。また、（Ｋ）はＲ信号Ｒinを、（Ｌ）はＧ信号Ｇinを、（Ｍ）はＢ信号Ｂinを、（Ｎ）は色相信号Ｈを、（Ｏ）は彩度信号Ｓを、（Ｐ）は明度信号Ｖを示している。また、（Ｑ）は色相信号Ｈ（（Ｎ）に示したものと同じ）を、（Ｒ）は彩度信号Ｓ（（Ｏ）に示したものと同じ）を、（Ｓ）は合成明度信号（Ｖ＋ｄＶ）を、（Ｔ）〜（Ｖ）は、ＲＧＢ信号ＲＧＢoutのうち、Ｒ信号Ｒout，Ｇ信号Ｇout，Ｂ信号Ｂoutを示している。なお、ここでも、ＹＣｂＣｒ信号ＹＣｂＣｒinは、赤色１００％のウィンドウ信号において、幅の狭い縦方向の線が入っている画像を表している。また、ここでも、合成明度信号（Ｖ＋ｄＶ）および合成彩度信号（Ｓ＋ｄＳ）の双方ではなく、合成明度信号（Ｖ＋ｄＶ）のみを生成している場合の例に対応している。
【０１３２】
この図３０に示した例においても、前述した変形例６における図２８の例と同様に、（Ｔ）〜（Ｖ）に示したＲＧＢ信号ＲＧＢoutにおいて、（Ａ）〜（Ｃ）に示したＹＣｂＣｒ信号ＹＣｂＣｒinに対し、鮮鋭感・コントラスト感が増えているが彩度の低下はなく、赤１００％の信号となっている。
【０１３３】
このようにして、本変形例のように、入力映像信号であるＹＣｂＣｒ信号ＹＣｂＣｒinから直接得られる輝度信号Ｙinに基づいて、高域輝度信号に対応するストラクチャー成分信号ＳＴＲ２およびテクスチャー成分信号ＴＥＸ２を生成する場合であっても、上記変形例５，６と同様の作用により同様の効果を得ることができる。すなわち、画像の鮮鋭度を従来と比べてより適切に改善することが可能となる。
【０１３４】
（その他の変形例）
以上、実施の形態および変形例をいくつか挙げて本発明を説明したが、本発明はこれらの実施の形態等に限定されず、種々の変形が可能である。
【０１３５】
例えば、上記実施の形態等では、ゲイン制御量算出部において、色相信号Ｈ、彩度信号Ｓおよび明度信号Ｖに基づいてゲイン制御量を算出する場合について説明したが、この場合には限られない。すなわち、ゲイン制御量算出部において、色相信号Ｈ、彩度信号Ｓおよび明度信号Ｖのうちの少なくとも１つに基づいて、ゲイン制御量を算出するようにしてもよい。
【０１３６】
また、上記実施の形態等では、映像信号処理部内にゲイン制御量算出部およびゲイン制御部を設ける場合について説明したが、場合によっては、映像信号処理部内に、これらゲイン制御量算出部およびゲイン制御部を設けなくてもよい。すなわち、例えば、ゲイン制御量を固定値としたり、ユーザーの操作に応じて制御するようにしてもよい。
【０１３７】
更に、上記実施の形態等で説明した映像信号処理の手法をそれぞれ、任意に組み合わせて用いるようにしてもよい。
【０１３８】
加えて、本発明の映像信号処理装置は、上記実施の形態等で説明したような表示装置には限られず、表示装置以外の他の装置（例えば、映像信号記録装置や映像信号記録再生装置等）にも適用することが可能である。
【符号の説明】
【０１３９】
１，１Ａ〜１Ｇ…表示装置、２，２Ａ〜２Ｇ…映像信号処理部、２０，２０Ｇ，２１…色空間変換部、２２，２２Ａ，２２Ｆ，２２Ｇ…高域分離部、２２Ｆ１…Ｓ／Ｔ分離部、２２Ｆ２，２２Ｇ２…ストラクチャー補正部、２２Ｆ３…テクスチャー増幅部、２２Ｇ１…ストラクチャーＨ／Ｌ分離部、２３…色空間変換部、２４，２４Ｂ…ゲイン制御量算出部、２５，２５Ａ，２５Ｂ，２５Ｆ…ゲイン制御部、２５Ｆ１…Ｖ用ストラクチャー補正部、２５Ｆ２…Ｓ用ストラクチャー補正部、２５Ｆ３…Ｖ用テクスチャー補正部、２５Ｆ４…Ｓ用テクスチャー補正部、２５Ｆ５，２５Ｆ６…補正量合成部、２６，２６Ａ，２６Ｂ，２６Ｃ，２７Ｄ，２６Ｆ１，２６Ｆ２…合成部、２７，２７Ａ，２７Ｂ，２７Ｃ，２７Ｆ…色空間変換部、３…表示部、ＲＧＢin，ＲＧＢout…ＲＧＢ信号、Ｒ０，Ｒin，Ｒout…Ｒ信号、Ｇ０，Ｇin，Ｇout…Ｇ信号、Ｂ０，Ｂin，Ｂout…Ｂ信号、Ｈ…色相信号、Ｓ…彩度信号、Ｖ…明度信号、ＹＣｂＣｒin…ＹＣｂＣｒ信号、Ｙ０，Ｙ…輝度信号、Ｃｒ０，Ｃｒ１，Ｃｒin，Ｃｂ０，Ｃｂ１，Ｃｂin…色差信号、Ｙｈ，Ｙｈｋ…高域輝度信号、ＳＴＲ＿Ｖ，ＴＥＸ＿Ｖ，ＳＴＲ＿Ｓ，ＴＥＸ＿Ｓ…補正量、ｄＶ，ｄＳ…補正量（ゲイン制御後の高域輝度信号）、Ｖｈ，Ｖｈｋ…高域明度信号、ｋ，ｋ１，ｋ２…ゲイン制御量、ｋ＿ＳＴＲ＿Ｖ，ｋ＿ＳＴＲ＿Ｓ，ｋ＿ＴＥＸ＿Ｖ，ｋ＿ＴＥＸ＿Ｓ…補正係数（ゲイン制御量）、ＹＶｈｋ…高域合成信号、（Ｖ＋Ｙｈｋ），（Ｖ＋Ｖｈｋ），（Ｖ＋ＹＶｈｋ）…合成明度信号、（Ｓ＋Ｙｈｋ）…合成彩度信号、ＳＴＲ１，ＳＴＲ２…ストラクチャー成分信号、ＳＴＲ１Ｈ…ストラクチャー高域成分信号、ＳＴＲ１Ｌ…ストラクチャー低域成分信号、ＴＥＸ１，ＴＥＸ２…テクスチャー成分信号。
【図１】
2010263598.tif 000007
【図２】
2010263598.tif 000008
【図３】
2010263598.tif 000009
【図４】
2010263598.tif 000010
【図５】
2010263598.tif 000011
【図６】
2010263598.tif 000012
【図７】
2010263598.tif 000013
【図８】
2010263598.tif 000014
【図９】
2010263598.tif 000015
【図１０】
2010263598.tif 000016
【図１１】
2010263598.tif 000017
【図１２】
2010263598.tif 000018
【図１３】
2010263598.tif 000019
【図１４】
2010263598.tif 000020
【図１５】
2010263598.tif 000021
【図１６】
2010263598.tif 000022
【図１７】
2010263598.tif 000023
【図１８】
2010263598.tif 000024
【図１９】
2010263598.tif 000025
【図２０】
2010263598.tif 000026
【図２１】
2010263598.tif 000027
【図２２】
2010263598.tif 000028
【図２３】
2010263598.tif 000029
【図２４】
2010263598.tif 000030
【図２５】
2010263598.tif 000031
【図２６】
2010263598.tif 000032
【図２７】
2010263598.tif 000033
【図２８】
2010263598.tif 000034
【図２９】
2010263598.tif 000035
【図３０】
2010263598.tif 000036